(57)【要約】【課題】バックライトの点灯時に見えずに電子機器の使用に支障をきたさないようにしつつ、消灯時において所望の図柄等を明瞭に視認させる。【解決手段】少なくとも片面に所望の表示事項を描いた画線部１４を有し表示画面に貼り付けて用いられる表示画面保護フィルム１１において、画線部１４を、透明インキにパール顔料を混合したパールインキによる印刷で形成する。パールインキにおけるパール顔料の添加量は、透明インキ１００部に対して０．７５部から１．７５部の範囲に設定する。【選択図】図１
2020187206.tif 000002
【特許請求の範囲】
【請求項１】
少なくとも片面に所望の表示事項を描いた画線部を有し表示画面に貼り付けて用いられる表示画面保護フィルムであって、
前記画線部が、透明インキにパール顔料を混合したパールインキによる印刷で形成され、
前記パールインキにおけるパール顔料の添加量が、前記透明インキ１００部に対して０．７５部から１．７５部の範囲に設定された
表示画面保護フィルム。
【請求項２】
前記パール顔料の粒径がメディアン径で１８μｍ以上２５μｍ以下であり、
前記パールインキにおけるパール顔料の添加量が、インキ１００部に対して０．７５部から１．２５部の範囲に設定された
請求項１に記載の表示画面保護フィルム。
【請求項３】
前記パール顔料の粒径がメディアン径で１０μｍ以上１８μｍ未満であり、
前記パールインキにおけるパール顔料の添加量が、インキ１００部に対して１．２５部から１．７５部の範囲に設定された
請求項１に記載の表示画面保護フィルム。
【発明の詳細な説明】
【技術分野】
【０００１】
この発明は、例えばスマートフォンやタブレットなどの電子機器の表示画面に貼着して使用され、表示画面を衝撃や傷などから保護するとともに、加飾できるような表示画面保護フィルムに関する。
【背景技術】
【０００２】
表示画面保護フィルムとして、下記特許文献１のように、表示画面のバックライトが点灯しているときに表示画面の表示内容を見せるが、バックライトが消灯すると所望の表示事項が見えるようにするものがある。
【０００３】
特許文献１の表示窓用粘着フィルムは、薄着色の半透明フィルムで構成され、この半透明フィルムの片面に、少なくともホログラムエンボス層と酸化金属層とを有するホットスタンプ箔を型押しした表示部を設けている。この構成では、バックライトが点灯しているときには、表示部をその光が透過して表示部が視認できなくなる。一方、バックライトの消灯時には、表示部が透けた状態で視認できる。
【０００４】
特許文献２に開示されたカバーガラスは、表示部(装飾)がレーザーマーキングによる所定の平均粗さの凹凸で形成されている。このカバーガラスでは、バックライトが消灯しているときには、外部から差し込んだ光が装飾において乱反射して視認可能になる一方、バックライトが点灯しているときにはバックライトから発せられる光が支配的になって装飾が視認不可となる。
【０００５】
これらいずれの場合でも、バックライトの点灯時において表示部が見えないようにホットスタンプ箔や平均粗さを加減することが大前提となる。しかし、ホットスタンプ箔は見た目に映りやすいものであり、粗面からなる装飾も、凹凸として存在している以上、その存在を隠しにくい。このため、点灯時において表示部見えないようにすることに主眼を置くと、必然的にバックライトの消灯時における見え方が弱くなってしまう。
【先行技術文献】
【特許文献】
【０００６】
【特許文献１】特許第４３４９９２８号公報
【特許文献２】特許第６１５３６２０号公報
【発明の概要】
【発明が解決しようとする課題】
【０００７】
この発明は、バックライトの点灯時に見えないのはもちろんのこと、消灯時における視認性を良好にすることを主な目的とする。
【課題を解決するための手段】
【０００８】
そのための手段は、少なくとも片面に所望の表示事項を描いた画線部を有し表示画面に貼り付けて用いられる表示画面保護フィルムであって、前記画線部が、透明インキにパール顔料を混合したパールインキによる印刷で形成され、前記パールインキにおけるパール顔料の添加量が、前記透明インキ１００部に対して０．７５部から１．７５部の範囲に設定された表示画面保護フィルムである。
【０００９】
この構成では、画線部に下から光が照射されるときに、透明なインキとパール顔料を有するパールインキは、パール顔料の添加量がパール顔料の本来の機能を発揮させてキラキラさせる標準添加量よりも少なく、主として下からの光を透過させて、画線部が上から視認されることを防止する。一方、下からの光の照射がない場合には、画線部を構成するパールインキのパール顔料が、標準添加量よりもはるかに少ない量であっても入射光を反射して、干渉色により透明インキを浮き上がらせて、パールインキを有する画線部を明瞭に視認させる。
【発明の効果】
【００１０】
この発明によれば、画線部にパールインキを用いるとともに、パールインキのパール顔料の含有量を消灯時における視認性にパール顔料を透明インキの中で有効利用できる量に設定したので、表示画面が光を放っているときには画線部を隠す一方で、表示画面が消灯状態にあるときには画線部を明瞭に視認させることができる。
【図面の簡単な説明】
【００１１】
【図１】表示画面保護フィルムの斜視図。
【図２】表示画面保護フィルムの拡大断面図。
【図３】表示画面保護フィルム使用状態における表示画面の消灯時と点灯時の状態を示す平面図。
【図４】パール顔料の作用を示す模式図。
【図５】比較例における点灯時の状態を示す写真。
【図６】比較例における消灯時の状態を示す写真。
【発明を実施するための形態】
【００１２】
この発明を実施するための一形態を、以下図面を用いて説明する。
【００１３】
図1に、電子機器の表示画面に貼り付けて使用される表示画面保護フィルム１１(以下、「フィルム」という)の斜視図を示す。このフィルム１１は、電子機器としてスマートフォンに用いられるものであり、スマートフォンの表示画面に貼り付けるのに適切な形状の略長方形状である。
【００１４】
フィルム１１は、図２に断面構造を示したように、前述の略長方形状に形成された透明のフィルム本体１２と、フィルム本体１２の裏面全体に形成された粘着層１３と、フィルム本体１２の表面に形成され所望の表示事項を描いた画線部１４を有している。
【００１５】
フィルム本体１２は、ガラスフィルムや樹脂フィルムなどで形成され、高い光透過性と硬度を有している。
【００１６】
粘着層１３は、シリコンなどの適宜の透明の材料で形成されている。
【００１７】
画線部１４は、文字や図形、絵柄、模様などを表示すものであり、スクリーン印刷で形成されている。画線部の厚さは適宜設定される。図1のフィルム１１では、画線部１４は「Ａ」の文字で表現されている。
【００１８】
画線部１４を形成するインキは、透明インキ１５にパール顔料１６を混合したパールインキが用いられる。パールインキにおけるパール顔料１６の添加量は、通常パールインキがパール顔料１６の特徴を表現するキラキラさせるための標準添加量よりも少なく設定している。平均粒径が２０μｍのパール顔料の場合、インキ１００部に対して３０〜４０部が標準添加量であるが、画線部１４を構成するパールインキの場合、その標準添加量の下限の４０分の１以上１０分の１以下である。
【００１９】
透明インキとの対比で表現すると、パールインキにおけるパール顔料の添加量は、透明インキ１００部に対して０．７５部から１．７５部の範囲に設定するとよい。
【００２０】
パールインキにおけるパール顔料の添加量は、パール顔料の粒径や干渉色にも関係する。
【００２１】
パール顔料の粒径が比較的大きい場合には、添加量を少なめに設定し、粒径が比較的小さい場合には粒径が大きい場合に比較して添加量を多めに設定する。具体的には、パール顔料の粒径が１０μｍ以上４０μｍ以下、換言すればメディアン径が１８μｍ以上２５μｍ以下である場合に、パールインキにおけるパール顔料の添加量は、インキ１００部に対して０．７５部から１．２５部の範囲に設定する。パール顔料の粒径が５μｍ以上３０μｍ以下、換言すればメディアン径が１０μｍ以上１８μｍ未満である場合に、パールインキにおけるパール顔料の添加量は、インキ１００部に対して１．２５部から１．７５部の範囲に設定する。
【００２２】
パール顔料の干渉色が銀色のような強く視認される色である場合には、青色や紫色のような色である場合と比べて、パール顔料の添加量を少なめに設定する。具体的には、パール顔料の干渉色が銀色である場合に、パール顔料の干渉色が青色や紫色のような暗色系である場合の６〜７割程度に設定する。
【００２３】
なお、パール顔料は、外観色が白色のものを使用し、パール顔料の干渉色は、金色、銀色、赤色、紫色、青色など、適宜の色のものから選択して使用できる。
【実施例】
【００２４】
パールインキを構成する透明インキとして、帝国インキ製造株式会社製の「１３スクリーンインキ」を使用した。
【００２５】
パール顔料としては、日本光研工業株式会社製の「ＴＷＩＮＣＬＥＰＥＡＬ（登録商標）」シリーズを使用した。  
使用したパール顔料のタイプ名、干渉色、光沢、粒度分布、メディアン径を列挙すると、表１とおりである。
【００２６】
【表１】
2020187206.tif 000003
パールインキの調製は、次の配合で行った。また、希釈量は１５％とした。  
［パールインキＳＸＢ］  干渉色が銀色の「ＳＸＢ−ＳＯ」を用い、透明インキ１００部に対して、１．５部を添加
［パールインキＳＸＣ］  干渉色が銀色の「ＳＸＣ−ＳＯ」を用い、透明インキ１００部に対して、１．０部を添加
［パールインキＹＸＣ］  干渉色が金色の「ＹＸＣ−ＳＯ」を用い、透明インキ１００部に対して、１．０部を添加
［パールインキＲＸＣ］  干渉色が赤色の「ＲＸＣ−ＳＯ」を用い、透明インキ１００部に対して、１．０部を添加
［パールインキＶＸＣ］  干渉色が紫色の「ＶＸＣ−ＳＯ」を用い、透明インキ１００部に対して、１．０部を添加
［パールインキＢＸＣ］  干渉色が青色の「ＢＸＣ−ＳＯ」を用い、透明インキ１００部に対して、１．０部を添加
これらのパールインキを、前述したフィルム本体と同じ材質の材料にスクリーン印刷して画線部を形成した。刷版は、２７０〜２８０メッシュで、膜厚（乳剤厚）６μｍ、線径３５μｍ、オープニング５６μｍ、開口率３８％、紗厚５３μｍ、総厚５９μｍである。
【００２７】
このような画線部を有するフィルムでは、いずれのパールインキを用いたフィルムの場合においても、表面側からも裏面側からも光が入る状態では、一見したところ画線部がないような外観であり、注視すればおぼろげに画線部の存在を、薄い白色の部分として認識できるような外観であった。このため、図１において画線部１４は仮想線で表現している。
【００２８】
そのフィルム１１を図３に示したように、実際にスマートフォン２１に貼り付けて、表示画面２２の消灯時と点灯時の状態を確認したところ、消灯時には画線部１４が明瞭に視認でき（図３（ａ）参照）、点灯時には画線部１４が視認できなかった（図３（ｂ）参照）。これは、消灯時には図４（ａ）に示したように、表面側から入射する光をパールインキ内のパール顔料１６が反射し、透明インキ１５の部分の全体を干渉色でもって光らせ、その一方で、背面側は暗く、光の入射がないからである。点灯時には図４（ｂ）に仮想線で示したように、表面側からも光が入射するものの、表示画面から裏面側に透過する光が強いうえに、パール顔料１６の含有量がわずかであるので、パール顔料１６による反射光がかき消されるからである。
【００２９】
比較例として、次のようなパールインキを調製した。  
［パールインキＳＸＣ−１］  干渉色が銀色の「ＳＸＣ−ＳＯ」を用い、透明インキ１００部に対して、２．０部を添加
［パールインキＳＸＣ−２］  干渉色が銀色の「ＳＸＣ−ＳＯ」を用い、透明インキ１００部に対して、１．５部を添加
［パールインキＳＸＣ−３］  干渉色が銀色の「ＳＸＣ−ＳＯ」を用い、透明インキ１００部に対して、０．５部を添加
［パールインキＶＸＣ−１］  干渉色が紫色の「ＶＸＣ−ＳＯ」を用い、透明インキ１００部に対して、２．０部を添加
［パールインキＶＸＣ−２］  干渉色が紫色の「ＶＸＣ−ＳＯ」を用い、透明インキ１００部に対して、１．５部を添加
［パールインキＶＸＣ−３］  干渉色が紫色の「ＶＸＣ−ＳＯ」を用い、透明インキ１００部に対して、０．５部を添加
［パールインキＢＸＣ−１］  干渉色が青色の「ＢＸＣ−ＳＯ」を用い、透明インキ１００部に対して、２．０部を添加
［パールインキＢＸＣ−２］  干渉色が青色の「ＢＸＣ−ＳＯ」を用い、透明インキ１００部に対して、１．５部を添加
［パールインキＢＸＣ−３］  干渉色が青色の「ＢＸＣ−ＳＯ」を用い、透明インキ１００部に対して、０．５部を添加
これらのパールインキを、前述したフィルム本体と同じ材質の材料にスクリーン印刷して画線部を形成した。印刷条件は前述と同じである。
【００３０】
このような画線部を有するフィルムをスマートフォンの表示画面に貼り付けて消灯時と点灯時で画線部の視認状態を比較したところ、次のような結果が得られた。
【００３１】
パール顔料の添加量が０．５部の場合、つまり［パールインキＳＸＣ−３］、［パールインキＶＸＣ−３］、［パールインキＢＸＣ−３］の場合には、いずれのパールインキ用いたフィルムでも、点灯時には画線部が視認できず、つまり消えて、スマートフォンの表示画面をストレスなく見ることができる。しかし、消灯時の画線部の視認性が十分ではなく、見えにくかった。
【００３２】
パール顔料の添加量が２．０部の場合、つまり［パールインキＳＸＣ−１］、［パールインキＶＸＣ−１］、［パールインキＢＸＣ−１］の場合には、いずれのパールインキ用いたフィルムでも、消灯時には画線部が明瞭に視認できた。しかし、点灯時でも、画線部が消えることなく視認できてしまい、スマートフォンの表示画面が見づらかった。［パールインキＳＸＣ−１］を用いたフィルムの消灯時の写真を図５に、点灯時の写真を図６に示す。
【００３３】
干渉色が銀色であるパール顔料を、１．０部よりも多めの１．５部添加した［パールインキＳＸＣ−１］では、点灯時でも、わずかではあるが画線部が視認できた。これに対して、干渉色が紫色の［パールインキＶＸＣ−１］と干渉色が青色の［パールインキＢＸＣ−１］の場合には、添加量が多めの１．５部であっても、点灯時に画線部は視認できなかった。
【００３４】
以上のように、透明インキに所定の少量のパール顔料を添加したパールインキを用いて形成された画線部は、表示画面が光を放っているときには表面側から視認されず、表示画面が消灯状態にあるときには表面側から入る光を反射してその存在を明瞭に視認させる。このため、電子機器の機能を発揮させている使用状態においては画線部が邪魔になることはなく、電子機器の表示画面を使用しない状態においては、好みの表示事項を明瞭に表示させ、装飾や識別等に利用することができる。
【００３５】
以上説明した構成は、この発明を実施するための一形態であって、この発明は前述の構成のみに限定されるものではなく、その他の構成を採用することができる。
【００３６】
たとえば、フィルム本体に対する画線部の形成は、表面だけではなく両面に行うことも、両面に行うこともできる。
【符号の説明】
【００３７】
１１…表示画面保護フィルム
１４…画線部
１５…透明インキ
１６…パール顔料
【図１】
2020187206.tif 000004
【図２】
2020187206.tif 000005
【図３】
2020187206.tif 000006
【図４】
2020187206.tif 000007
【図５】
2020187206.tif 000008
【図６】
2020187206.tif 000009